(57)【要約】【目的】 靴下を履くのみで外反母趾の矯正ができ、又、足裏に対するマッサージ効果をも有し、しかも靴下編み機による編成のみで製造が可能な靴下を提供することを目的とする。【構成】 本発明は通常の口ゴム部と同様の部材を足部に設けたことを特徴とする。口ゴム部を足部における爪先から若干かかとよりの部分、つまり着用時に着用者の中足関節に当接する付近に設ければ、当該口ゴム部が着用者の中足関節を締めつけることになり外反母趾の矯正が可能となるのである。又、口ゴム部を着用時に着用者の土踏まずに当接する付近等に設ければ、当該口ゴム部が土踏まず等を締め付け、着用者の土踏まず等の部位にマッサージ効果を与えることが可能となるのである。  【選択図】        図１
2005281917.tif 000002
【特許請求の範囲】
【請求項１】
足部に口ゴム部と同様の部材を設けたことを特徴とする靴下。
【発明の詳細な説明】
【技術分野】
【０００１】
本発明は靴下に関し、より詳しくは外反母趾を矯正したり或は土踏まず等の足裏部分にマッサージ効果を及ぼすことが可能な靴下に関する。
【背景技術】
【０００２】
１、  外反母趾とは足の変形の一種であり、図７に示すように足の第一趾が第二趾の方に曲がった状態をいう。
【０００３】
これは横中足靭帯が緩み中足関節が開いて第一中足骨の内反を招き、結果として第一趾が外反することにより生じる。
【０００４】
かかる外反母趾が生じる原因としては衝撃吸収性に優れた靴を幼少時から履くため足底筋肉の発達が阻害されるためであるといった説や、ハイヒール等の爪先の尖った靴を履くと足先が締めつけられ、第一趾を外方へ曲げる作用を受けるといった説が挙げられている。
【０００５】
係る外反母趾の状態にいたると第一趾に痛みが生じるのみならず、体のバランスが崩れ腰痛等を引き起こしたりする。
【０００６】
かような害悪を招く外反母趾を矯正するため様々な発明、考案がなされている。例えば特開２００１−２６９３６７号公報においては爪先を二股に形成すると共に外反母趾防止体を取り付けることで第一趾を内反させる靴下が提案されている。
【０００７】
２、  足は第２の心臓と呼ばれ血液を心臓に送り返すための重要な役割を果たしている。更には足裏には様々なツボが存在し、当該足裏を刺激することで心身に良好な影響をあたえ得ることが知られている。そこで足裏にマッサージ効果を与えうる靴下に関する様々な発明、考案がなされている。例えば靴下の内面の各所に樹脂製の突起を設けた靴下が提案されている。又、特開平１０−２５１９０３号公報記載に係る発明では液状物を封入した嚢体が設けられた靴下が提案されている。
【特許文献１】特開２００１−２６９３６７号公報
【特許文献２】特開平１０−２５１９０３号公報
【発明の開示】
【発明が解決しようとする課題】
【０００８】
上記特開２００１−２６９３６７号公報記載の発明は、靴下編機による編成以外に外反母趾防止体を取り付ける工程が必要となり、価格の高騰化を招き商品としての実際性を有しないものである。
【０００９】
又、マッサージ効果を与えるために靴下の内面の各所に樹脂製の突起を設けた靴下も靴下編機による編成以外に当該突起を取り付ける工程が必要となり、製造が手間であると共に価格の高騰を招いてしまう。同じく特開平１０−２５１９０３号公報記載の発明も靴下編機による編成以外に液状物を封入するための嚢体を取り付ける工程が必要となり製造工程の複雑化、価格の高騰化を招いてしまう。
【００１０】
そこで本発明は靴下を履くのみで外反母趾の矯正ができ、又、足裏に対するマッサージ効果をも有し、しかも靴下編み機による編成のみで製造が可能な靴下を提供することを目的とする。
【課題を解決するための手段】
【００１１】
図６は各部の名称を示した靴下の正面図である。靴下は一般に口ゴム部Ａ、脚部Ｂ及び足部Ｃの３部に大別される。
【００１２】
口ゴム部Ａはゴム編みやゴム糸を挿入した平編みで編成することで伸縮性を大きくし、靴下のずれ落ちを防止する役目を果たす。
【００１３】
脚部Ｂは平編み等の任意の組織で編成する。
【００１４】
足部Ｃは更に踵部Ｃ１、足甲部Ｃ２、足底部Ｃ３及び爪先部Ｃ４の各部に分かれる。
【００１５】
踵部Ｃ１及び爪先部Ｃ４はゴアラインを中心として何回も減らし目、増やし目を行って編成する。足甲部Ｃ２及び足底部Ｃ３は平編み等の任意の組織で編成する。
【００１６】
そして本発明は上記口ゴム部と同様の部材を足部に設けたことを特徴とする。以下詳述する。
【００１７】
口ゴム部は伸縮性を持たせるために地糸の中にゴ厶糸を挿入する。かように口ゴム部は伸縮性を有するが故に、この口ゴム部を足部に設けることで着用者の足を締め付けることが可能となるのである。
【００１８】
そして口ゴム部を足部における爪先から若干かかとよりの部分、つまり着用時に着用者の中足関節に当接する付近に設ければ、当該口ゴム部が着用者の中足関節を締めつけることになる。前述のように外反母趾は中足関節が開くことにより生じるものである。それゆえ、当該口ゴム部により中足関節を締めつけることで外反母趾の矯正が可能となるのである。
【００１９】
又、口ゴム部を着用時に着用者の土踏まずに当接する付近等に設ければ、当該口ゴム部が土踏まず等を締め付け、着用者の土踏まず等の部位にマッサージ効果を与えることが可能となるのである。
【００２０】
しかも本発明は足部において再び口ゴム部の編成を行いさえすれば製造することが可能なものである。つまり従来例において必要であった編機による編成以外の工程無くして製造することが可能となるのである。
【発明の効果】
【００２１】
本発明は以上のように構成されていることから靴下を履くのみで外反母趾の矯正ができ、又、足裏に対するマッサージ効果をも有し、しかも靴下編み機による編成のみで製造が可能な靴下を提供することが可能となるのである。
【発明を実施するための最良の形態】
【００２２】
以下、好ましい発明の実施形態につき述べる。
【００２３】
図１は本発明に係る靴下を着用した状態の斜視図であり、図２は本発明を外反母趾矯正用に実施した場合であり、且つ、口ゴム部を踵方向にもっていった状態の断面図であり、図３は同口ゴム部をつま先側に持っていった状態の断面図であり、図４は本発明を足裏マッサージ用に実施した場合であり、且つ、口ゴム部を踵側にもっていった状態の断面図であり、図５は同口ゴム部をつま先方向にもっていった状態の断面図である。
【００２４】
図１に示すように本発明に係る靴下は、はき口に設ける通常の口ゴム部２と同様の口ゴム部１を足部（図１では中足関節付近）に設けている。
【００２５】
当該口ゴム部１の編成方法は通常の口ゴム部２の編成方法と同様で構わない。つまりゴム編みやゴム糸を挿入した平編みで編成するのである。又、口ゴム部の形態には編地が一重のものと二重（袋編）のものとがあるがどちらによっても構わない。
【００２６】
図２及び図３は本発明を外反母趾を矯正する目的で実施した場合の断面図であり、口ゴム部１はつま先から若干踵より、つまり着用者の中足関節に当接する付近に設けてある。
【００２７】
図２においては口ゴム部１を踵方向にもってきており、図３では口ゴム部１を折り返してつま先側にもってきている。両者の違いは踵方向にもってきている場合は足の厚みが大きい分強めに締め付けられ、つま先側にもってきている場合は足の厚みが小さい分締め付けられる力が弱くなるのである。
【００２８】
かようにして着用者は口ゴム部１を踵方向にもっていき、或いは折り返してつま先側にもっていくことで、任意に締め付ける力を変化させることが可能となるのである。
【００２９】
図４及び図５は本発明を足裏をマッサージする目的で実施した場合の断面図であり、口ゴム部１は着用者の土踏まずに当接する付近に設けてある。
【００３０】
図４においては口ゴム部１を踵側にもってきており、図５では口ゴム部１を折り返してつま先方向にもってきている。両者の違いは踵側にもってきている場合は足の厚みが大きい分強めに締め付けられ、つま先方向にもってきている場合は足の厚みが小さい分締め付けられる力が弱くなるのである。
【００３１】
かようにして着用者は口ゴム部１を踵側にもっていき、或いは折り返してつま先方向にもっていくことで、任意に締め付ける力を変化させる、つまりマッサージ効果の強弱を変化させることが可能となるのである
【図面の簡単な説明】
【００３２】
【図１】本発明に係る靴下を着用した状態の斜視図。
【図２】本発明を外反母趾矯正用に実施した場合であり、且つ、口ゴム部を踵方向にもっていった状態の断面図。
【図３】同、口ゴム部をつま先側にもっていった状態の断面図。
【図４】本発明を足裏マッサージ用に実施した場合であり、且つ、口ゴム部を踵側にもっていった状態の断面図。
【図５】同、口ゴム部をつま先方向にもっていった状態の断面図。
【図６】各部の名称を示した靴下の正面図。
【図７】外反母趾状態の骨格を示した図。
【符号の説明】
【００３３】
１・・口ゴム部
【図１】
2005281917.tif 000003
【図２】
2005281917.tif 000004
【図３】
2005281917.tif 000005
【図４】
2005281917.tif 000006
【図５】
2005281917.tif 000007
【図６】
2005281917.tif 000008
【図７】
2005281917.tif 000009